(57)【特許請求の範囲】
【請求項１】
光源装置と、前記光源装置から射出された光束を画像情報に応じて変調する光変調装置と、前記光変調装置にて変調された光束を拡大投射する投射光学装置と、前記光源装置、前記光変調装置、および前記投射光学装置を内部に収納する外装筐体とを備えたプロジェクタであって、
前記外装筐体は、鉛直方向に交差する天面部および底面部と、前記天面部および前記底面部に接続する側面部とを備え、
前記側面部における前記底面部側には、内部に向けて窪む第１の凹部が形成され、
前記第１の凹部の底部分には、外部機器と接続ケーブルを介して接続する第１の接続端子群が露出した状態で配設され、
前記第１の凹部が形成された側面部において、前記第１の凹部の前記天面部側には、前記第１の凹部よりも小さい深さ寸法で内部に向けて窪む第２の凹部が形成され、
前記第２の凹部の底部分には、外部機器と接続ケーブルを介して接続する第２の接続端子群が露出した状態で配設されている
ことを特徴とするプロジェクタ。
【請求項２】
請求項１に記載のプロジェクタにおいて、
前記第１の凹部は、前記底面部側の側壁部分が切り欠かれ、前記第１の凹部の底部分と前記底面部とが連設されている
ことを特徴とするプロジェクタ。
【請求項３】
請求項１または請求項２に記載のプロジェクタにおいて、
前記底面部に取り付けられ、前記第１の接続端子群に接続した複数の前記接続ケーブルを結束する結束部材を備えている
ことを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調する光変調装置と、光変調装置にて変調された光束をスクリーン上に拡大投射する投射光学装置とを備えたプロジェクタが知られている（例えば、特許文献１参照）。
特許文献１に記載のプロジェクタでは、外部機器と接続ケーブルを介して接続し、外部機器から画像情報（画像信号）等を入力したり、所定の信号を外部機器に出力するための接続端子群（コネクタ群）が外部に露出するように外装筐体の背面部に配設されている。
【０００３】
【特許文献１】特開２００４−２０７４００号公報
【発明の開示】
【発明が解決しようとする課題】
【０００４】
しかしながら、特許文献１に記載のプロジェクタでは、接続端子群に複数の接続ケーブルを接続した状態では、各接続ケーブルのコネクタ等が外装筐体の背面部から突出した状態となるため、外観上好ましくない。
また、特許文献１に記載のプロジェクタでは、外観上好ましいものとするために、容器状のカバー部材を用い、カバー部材の開口部分を外装筐体の背面部に取り付けることでカバー部材にて接続端子群や各接続ケーブルのコネクタ等を覆う構成が採用されている。そして、接続端子群に接続された複数の接続ケーブルは、外装筐体にカバー部材が取り付けられた状態で、屈曲させることでカバー部材の開口部分に形成された切り欠きを介して外部に引き回されている。
ところで、各接続ケーブルのコネクタは、外装筐体の背面部から突出した状態である。また、各接続ケーブルは、所定の剛性を有しているため、屈曲可能な位置は、コネクタから離間した位置となる。このため、カバー部材としては、各接続ケーブルと機械的に干渉しない形状、すなわち、容器状の深さ寸法が、外装筐体に対する各接続ケーブルの突出寸法（コネクタ先端から屈曲可能な位置までの寸法）以上、必要となる。したがって、カバー部材の深さ寸法が比較的に大きいものとなり、カバー部材を外装筐体に取り付けた状態ではプロジェクタの前後方向の長さ寸法が大きいものとなるため、外観上好ましくない。また、プロジェクタの設置時には、プロジェクタのサイズよりも大きなスペースが必要となる。
【０００５】
本発明の目的は、接続端子群に接続ケーブルが接続された状態でも外観上好ましく、設置スペースの小さなプロジェクタを提供することにある。
【課題を解決するための手段】
【０００６】
本発明のプロジェクタは、光源装置と、前記光源装置から射出された光束を画像情報に応じて変調する光変調装置と、前記光変調装置にて変調された光束を拡大投射する投射光学装置と、前記光源装置、前記光変調装置、および前記投射光学装置を内部に収納する外装筐体とを備えたプロジェクタであって、前記外装筐体は、鉛直方向に交差する天面部および底面部と、前記天面部および前記底面部に接続する側面部とを備え、前記側面部における前記底面部側には、内部に向けて窪む第１の凹部が形成され、前記第１の凹部の底部分には、外部機器と接続ケーブルを介して接続する第１の接続端子群が露出した状態で配設され、前記第１の凹部が形成された側面部において、前記第１の凹部の前記天面部側には、前記第１の凹部よりも小さい深さ寸法で内部に向けて窪む第２の凹部が形成され、前記第２の凹部の底部分には、外部機器と接続ケーブルを介して接続する第２の接続端子群が露出した状態で配設されていることを特徴とすることを特徴とする。
【０００７】
本発明では、外装筐体において、側面部に形成された第１の凹部の底部分に、第１の接続端子群が露出した状態で配設されている。このことにより、接続ケーブルは、外装筐体の側面部よりも内部側で第１の接続端子群と接続することとなる。すなわち、第１の接続端子群に複数の接続ケーブルを接続した状態では、側面部における第１の凹部を除く他の部分からの各接続ケーブルのコネクタ等の突出量が小さくなり、接続ケーブルのコネクタ等が第１の凹部によって隠されることとなる。このため、第１の接続端子群に接続ケーブルが接続された状態でも外観上好ましい構成とすることができる。また、プロジェクタの設置スペースも、より小さくすることができる。
【０００８】
また、従来と同様に、外装筐体にカバー部材を取り付け、第１の凹部（第１の接続端子群）や各接続ケーブルのコネクタ等を覆うように構成すれば、プロジェクタの外観をさらに好ましいものとすることができる。
この際、上述した構成により、側面部における第１の凹部を除く他の部分からの各接続ケーブルの突出寸法（第１の凹部を除く他の部分から接続ケーブルにおける屈曲可能な位置までの寸法）が小さくなるため、カバー部材における容器状の深さ寸法も小さく設定できる。このため、カバー部材を外装筐体に取り付けた状態でもプロジェクタの外観が損なわれることがない。
【０００９】
さらに、第１の凹部は、側面部における底面部側に形成されている。このことにより、例えば、プロジェクタを天吊り姿勢（天面部が下方側に位置し、底面部が上方側に位置した状態で、天井等から吊り下げられた姿勢）で設置した場合には、第１の凹部が上方側に位置することとなる。すなわち、プロジェクタに対して下方側に位置する利用者から各接続ケーブルのコネクタ等が見え難い構成となり、プロジェクタの外観を好ましいものとすることができる。
ところで、プロジェクタを正置き姿勢（天吊り姿勢とは逆に、天面部が上方側に位置し、底面部が下方側に位置した状態で、机上等に載置された姿勢）で設置する場合には、プロジェクタを天吊り姿勢で設置する場合と比較して、接続端子群に対する接続ケーブルの着脱が頻繁に実施されるものである。すなわち、プロジェクタを正置き姿勢で設置する場合において、第１の接続端子群を利用した場合には、第１の凹部の底部分に第１の接続端子群が配設されているので、第１の接続端子群に対して接続ケーブルを着脱し難いものとなり、利便性の向上が図り難い。
本発明では、側面部における第１の凹部を除く他の部分には、第１の接続端子群とは別に第２の接続端子群が露出した状態で配設されている。このことにより、プロジェクタを正置き姿勢で設置する場合には、第１の凹部に配設されていない第２の接続端子群を利用すれば、第２の接続端子群に対して接続ケーブルを着脱し易いものとなる。このため、プロジェクタを天吊り姿勢で設置する場合には第１の接続端子群を利用し、プロジェクタを正置き姿勢で設置する場合には第２の接続端子群を利用し、すなわち、プロジェクタの姿勢に応じて各接続端子群を使い分けることで、利便性の向上が図れる。
【００１０】
本発明のプロジェクタでは、前記第１の凹部は、前記底面部側の側壁部分が切り欠かれ、前記第１の凹部の底部分と前記底面部とが連設されていることが好ましい。
本発明では、第１の凹部の底部分と底面部とが連設されているので、第１の接続端子群に接続された各接続ケーブルを底面部側に引き回す際、各接続ケーブルが第１の凹部における底面部側の側壁部分に機械的に干渉することがない。このため、各接続ケーブルの引き回しを容易に実施できる。また、各接続ケーブルを第１の凹部の底部分から底面部に向けて引き回せば、天面部側から（例えば、天吊り姿勢では下方側から）各接続ケーブルが見え難い構成となり、プロジェクタの外観をさらに好ましいものとすることができる。また、側壁部分がないため、指が入り易く、接続ケーブルの着脱も容易となる。
【００１１】
本発明のプロジェクタでは、前記底面部に取り付けられ、前記第１の接続端子群に接続した複数の前記接続ケーブルを結束する結束部材を備えていることが好ましい。
本発明では、プロジェクタが結束部材を備えているので、第１の接続端子群に接続された各接続ケーブルを結束部材により底面部上で一旦、結束することができる。このため、各接続ケーブルの引き回しを容易に実施できる。また、結束部材により各接続ケーブルを底面部上で一旦、結束することで、天面部側から（例えば、天吊り姿勢では下方側から）各接続ケーブルがさらに見え難い構成となり、プロジェクタの外観をさらに一層、好ましいものとすることができる。
【発明を実施するための最良の形態】
【００１３】
[第１実施形態]
以下、本発明の第１実施形態を図面に基づいて説明する。
〔外観構成〕
図１は、第１実施形態におけるプロジェクタ１の外観を示す斜視図である。具体的に、図１は、プロジェクタ１が正置き姿勢で設置された状態を前面上側から見た斜視図である。
プロジェクタ１は、光源から射出された光束を画像情報に応じて変調して画像光を形成し、形成した画像光をスクリーン（図示略）上に拡大投射する。このプロジェクタ１は、図１に示すように、外装を構成する外装筐体２を備える。
【００１４】
外装筐体２は、プロジェクタ１の装置本体を収納する。この外装筐体２は、図１に示すように、アッパーケース２１と、ロアーケース２２とを備える。
アッパーケース２１は、鉛直方向に交差する略矩形状の天面部２３を有し、一方が開口した容器状に形成されている。
ロアーケース２２も同様に、鉛直方向に交差する略矩形状の底面部２４を有し、一方が開口した容器状に形成されている。
そして、アッパーケース２１およびロアーケース２２が接続することで、外装筐体２には、側面部としての前面部２５、右側面部２６、左側面部２７、および背面部２８が形成される。
なお、外装筐体２の背面部２８の構造については、後述する。
【００１５】
〔内部構成〕
図２は、外装筐体２の内部に収容される装置本体を模式的に示す図である。
外装筐体２の内部には、図２に示す装置本体が収納されている。そして、この装置本体は、投射光学装置としての投射レンズ３と、光学ユニット４等を備える。
なお、具体的な図示は省略したが、外装筐体２内において、各部材３，４以外の空間には、プロジェクタ１内部を冷却する冷却ファン等を備えた冷却ユニット、プロジェクタ１の各構成部材に電力を供給する電源ユニット、プロジェクタ１の各構成部材の動作を制御する制御装置等が配置されるものとする。
【００１６】
投射レンズ３は、図１に示すように、外装筐体２の前面部２５略中央部分から先端が露出し、光学ユニット４にて形成された画像光をスクリーン上に拡大投射する。
光学ユニット４は、前記制御装置による制御の下、光源から射出された光束を光学的に処理して画像情報に対応した画像光を形成する。この光学ユニット４は、図２に示すように、光源装置４１と、照明光学装置４２と、色分離光学装置４３と、リレー光学装置４４と、光学装置４５と、これら各光学部品４１〜４５を収納する光学部品用筐体４６とを備える。
【００１７】
光源装置４１は、図２に示すように、光源４１１およびリフレクタ４１２等を備える。そして、光源装置４１は、光源４１１から射出された光束がリフレクタ４１２によって射出方向が揃えられ、照明光学装置４２に向けて光束を射出する。
【００１８】
照明光学装置４２は、図２に示すように、第１レンズアレイ４２１、第２レンズアレイ４２２、偏光変換素子４２３、および重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４５の後述する３枚の液晶パネル４５１上で重畳する。
【００１９】
色分離光学装置４３は、図２に示すように、２枚のダイクロイックミラー４３１，４３２、および反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図２に示すように、入射側レンズ４４１、リレーレンズ４４３、および反射ミラー４４２，４４４を備え、色分離光学装置４３で分離された色光、例えば、赤色光を光学装置４５の後述する赤色光側の液晶パネル４５１Ｒまで導く機能を有する。
【００２０】
光学装置４５は、入射した光束を画像情報に応じて変調して画像光を形成する。この光学装置４５は、図２に示すように、３つの光変調装置としての液晶パネル４５１（赤色光側の液晶パネルを４５１Ｒ、緑色光側の液晶パネルを４５１Ｇ、青色光側の液晶パネルを４５１Ｂとする）と、各液晶パネル４５１の光路前段側に配置される入射側偏光板４５２と、各液晶パネル４５１の光路後段側に配置される射出側偏光板４５３と、色合成光学装置としてのクロスダイクロイックプリズム４５４とを備える。
【００２１】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
３つの液晶パネル４５１は、一対の透明なガラス基板に電気光学物質である液晶が密閉封入された構成を有し、前記制御装置からの駆動信号に応じて、前記液晶の配向状態が制御され、入射側偏光板４５２から射出された偏光光の偏光方向を変調する。
３つの射出側偏光板４５３は、入射側偏光板４５２と略同様の機能を有し、液晶パネル４５１を介して射出された光束のうち、一定方向の偏光光を透過し、その他の光束を吸収する。
【００２２】
クロスダイクロイックプリズム４５４は、射出側偏光板４５３から射出された色光毎に変調された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されて画像光が形成される。そして、クロスダイクロイックプリズム４５４で形成された画像光は、投射レンズ３に射出される。
【００２３】
〔背面部の構造〕
図３および図４は、背面部２８の構造を示す斜視図である。具体的に、図３は、プロジェクタ１が正置き姿勢で設置された状態を背面上側から見た斜視図である。図４は、プロジェクタ１が天吊り姿勢で設置された状態を背面上側から見た斜視図である。
背面部２８において、左右方向略中央部分の底面部２４側には、図３または図４に示すように、内部に向けて窪み、背面側から見た場合に矩形形状を有する第1の凹部２８１が形成されている。
そして、第1の凹部２８１の底部分２８１Ａには、外部機器（図示略）と接続ケーブルＣｂ（図５参照）を介して接続し、接続ケーブルＣｂを介して外部機器から画像情報（画像信号）等を入力したり、外部機器に所定の信号を出力するための第1の接続端子群５が露出した状態で配設されている。
また、図４に示すように、第１の凹部２８１における底面部２４側の側壁部分が切り欠かれ、第１の凹部２８１の底部分２８１Ａと底面部２４とが連設するように形成されている。
【００２４】
また、背面部２８において、第１の凹部２８１の天面部２３側には、第１の凹部２８１よりも小さい深さ寸法で内部に向けて窪み、背面側から見た場合に矩形形状を有する第２の凹部２８２が形成されている。
そして、第２の凹部２８２の底部分２８２Ａには、第１の接続端子群５と同様に、外部機器と接続ケーブルを介して接続し、接続ケーブルを介して外部機器から画像信号等を入力したり、外部機器に所定の信号を出力するための第２の接続端子群６が露出した状態で配設されている。
また、図３または図４に示すように、第２の凹部２８２における底面部２４側の側壁部分が切り欠かれ、第２の凹部２８２の底部分２８２Ａと第１の凹部２８１の側壁部分２８１Ｂとが連設するように形成されている。
【００２５】
以上説明した各接続端子群５，６は、前記制御装置と電気的に接続する。そして、各接続端子群５，６を介して入力した画像信号等は、前記制御装置にて処理される。また、前記制御装置の制御により、各接続端子群５，６を介して外部機器に所定の信号が出力される。
【００２６】
〔第１の接続端子群の利用形態〕
次に、第１の接続端子群５の利用形態を説明する。
図５は、第１の接続端子群５の利用形態を説明する図である。具体的に、図５は、図４に示す状態での第１の接続端子群５の利用形態を示す斜視図である。
第１の接続端子群５は、図５に示すように、プロジェクタ１が天吊り姿勢で設置された状態で主に利用されるものである。
【００２７】
また、第１の接続端子群５を利用する場合には、図５に示すように、カバー部材７を外装筐体２に取り付ける。
このカバー部材７は、前面側に背面部２８の外形寸法と略同一の開口部（図示略）を有し、背面側に向うにしたがって開口寸法が次第に小さくなる容器状に形成されている。そして、カバー部材７は、前記開口部の縁部分が固定ねじ７Ａにより底面部２４に固定されることで、外装筐体２に取り付けられる。この状態において、カバー部材７は、背面部２８（各接続端子群５，６）を覆うこととなる。
また、このカバー部材７において、外装筐体２に取り付けられた状態で、底面部２４側の側壁部分には、第１の凹部２８１を囲うように切り欠かれた略Ｕ字状の切り欠き部７１が形成されている。
【００２８】
そして、第１の接続端子群５に接続された複数（図５では５本）の接続ケーブルＣｂは、図５に示すように、切り欠き部７１と第１の凹部２８１との隙間を介し、前面上方側に向けて屈曲され、底面部２４の略中心位置を通る鉛直軸に沿って上方に引き回される。
【００２９】
なお、第２の接続端子群６は、具体的な図示は省略したが、図３に示すようなプロジェクタ１が正置き姿勢で設置された状態で主に利用されるものである。
【００３０】
上述した第１実施形態においては、以下の効果がある。
本実施形態では、外装筐体２において、背面部２８に形成された第１の凹部２８１の底部分２８１Ａに、第１の接続端子群５が露出した状態で配設されている。このことにより、各接続ケーブルＣｂは、外装筐体２の背面部２８よりも内部側で第１の接続端子群５と接続することとなる。すなわち、第１の接続端子群５に各接続ケーブルＣｂを接続した状態では、背面部２８における第１の凹部２８１を除く他の部分からの各接続ケーブルＣｂのコネクタＣｎ（図５）等の突出量が小さくなり、接続ケーブルＣｂのコネクタＣｎ等が第１の凹部２８１により隠されることとなる。このため、第１の接続端子群５に各接続ケーブルＣｂが接続された状態でも外観上好ましい構成とすることができる。また、プロジェクタ１の設置スペースを小さくすることができる。
【００３１】
また、外装筐体２にカバー部材７を取り付け、背面部２８（各接続端子群５，６、各接続ケーブルＣｂのコネクタＣｎ等）を覆えば、プロジェクタ１の外観をさらに好ましいものとすることができる。
この際、上述した構成により、背面部２８における第１の凹部２８１を除く他の部分からの各接続ケーブルＣｂの突出寸法（第１の凹部２８１を除く他の部分から各接続ケーブルＣｂにおける屈曲可能な位置Ｐ（図５）までの寸法）が小さくなるため、カバー部材７における容器状の深さ寸法も小さく設定できる。このため、カバー部材７を外装筐体２に取り付けた状態でも、プロジェクタ１の前後方向の長さ寸法が大きくなることがなく、プロジェクタ１の外観が損なわれることがない。
【００３２】
さらに、第１の凹部２８１は、背面部２８における底面部２４側に形成されている。このことにより、プロジェクタ１を天吊り姿勢で設置した場合には、第１の凹部２８１が上方側に位置することとなる。すなわち、プロジェクタ１に対して下方側に位置する利用者から各接続ケーブルＣｂのコネクタＣｎ等が見え難い構成となり、プロジェクタ１の外観を好ましいものとすることができる。
【００３３】
また、第１の凹部２８１の底部分２８１Ａと底面部２４とが連設されているので、第１の接続端子群５に接続された各接続ケーブルＣｂを底面部２４側に引き回す際、各接続ケーブルＣｂが第１の凹部２８１における底面部２４側の側壁部分に機械的に干渉することがない。このため、各接続ケーブルＣｂの引き回しを容易に実施できる。また、各接続ケーブルＣｂを第１の凹部２８１から底面部２４に向けて引き回せば、プロジェクタ１に対して下方側に位置する利用者から各接続ケーブルＣｂが見え難い構成となり、プロジェクタ１の外観をさらに好ましいものとすることができる。また、側壁部分がないため、指が入り易く、接続ケーブルＣｂの着脱が容易となる。
【００３４】
さらに、背面部２８における第１の凹部２８１を除く他の部分には、第１の接続端子群５とは別に第２の接続端子群６が露出した状態で配設されている。このことにより、プロジェクタ１を正置き姿勢で設置する場合には、第１の凹部２８１に配設されていない第２の接続端子群６を利用すれば、第２の接続端子群６に対して接続ケーブルを着脱し易いものとなる。このため、プロジェクタ１を天吊り姿勢で設置する場合には第１の接続端子群５を利用し、プロジェクタ１を正置き姿勢で設置する場合には第２の接続端子群６を利用し、すなわち、プロジェクタ１の姿勢に応じて各接続端子群５，６を使い分けることで、利便性の向上が図れる。
【００３５】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図６は、第２実施形態における第１の接続端子群５の利用形態を説明する図である。
本実施形態では、前記第１実施形態に対して、図６に示すように、第１の接続端子群５を利用する場合に、第１の接続端子群５に接続した複数の接続ケーブルＣｂを結束する結束部材８が設けられている点が異なるのみである。
【００３６】
結束部材８は、図６に示すように、略Ｕ字形状を有し、Ｕ字形状の各先端部分が外側に張り出した形状を有する。そして、結束部材８は、Ｕ字状内側に複数の接続ケーブルＣｂを配置した状態で、張り出し部分が底面部２４における第１の凹部２８１近傍に固定ねじ８Ａにて取り付けられる。
そして、第１の接続端子群５に接続された複数の接続ケーブルＣｂは、図６に示すように、切り欠き部７１と第１の凹部２８１との隙間を介し、結束部材８により、底面部２４に沿って前面側に屈曲され、底面部２４の略中心位置を通る鉛直軸に沿って上方に引き回される。
【００３７】
上述した第２実施形態によれば、前記第１実施形態と同様の効果の他、以下の効果がある。
本実施形態では、プロジェクタ１が結束部材８を備えているので、第１の接続端子群５に接続された各接続ケーブルＣｂを結束部材８により底面部２４上で一旦、結束することができる。このため、各接続ケーブルＣｂの引き回しを容易に実施できる。また、結束部材８により各接続ケーブルＣｂを底面部２４上で一旦、結束することで、プロジェクタ１に対して下方側に位置する利用者から各接続ケーブルＣｂがさらに見え難い構成となり、プロジェクタ１の外観をさらに一層、好ましいものとすることができる。
【００３８】
なお、本発明は前述の実施形態に限定されるものではなく、本発明の目的を達成できる範囲での変形、改良等は本発明に含まれるものである。
前記実施形態において、各凹部２８１，２８２（各接続端子群５，６）の形成位置（配設位置）は、背面部２８に限らず、その他の側面部２５〜２７としても構わない。また、各凹部２８１，２８２は、各側面部２５〜２８において、それぞれ異なる側面部に形成された構成としてもよい。
前記実施形態では、第１の凹部２８１は、底面部２４側の側壁部分が切り欠かれ、第１の凹部２８１の底部分２８１Ａと底面部２４とが連設されていたが、これに限らず、底面部２４側の側壁部分を切り欠かない構成としてもよい。
【００３９】
前記実施形態では、第１の接続端子群５がプロジェクタ１が天吊り姿勢で設置された状態で利用され、第２の接続端子群６が正置き姿勢で設置された状態で利用されていたが、これに限らず、第１の接続端子群５を正置き姿勢で設置された状態で利用し、第２の接続端子群６を天吊り姿勢で設置された状態で利用してもよい。
【００４０】
前記実施形態では、光変調装置として、透過型の液晶パネルを採用していたが、これに限らず、反射型の液晶パネル、あるいは、ＤＭＤ(Digital Micromirror Device)（米国テキサスインスツルメント社の商標）等を採用してもよい。
前記各実施形態では、フロント投射型のプロジェクタの例のみを挙げたが、本発明は、スクリーンを備え、該スクリーンの裏面側から投射を行うリアタイプのプロジェクタにも適用可能である。
【産業上の利用可能性】
【００４１】
本発明は、接続端子群に接続ケーブルが接続された状態でも外観上好ましいため、プレゼンテーションやホームシアタに用いられるプロジェクタに利用できる。
【図面の簡単な説明】
【００４２】
【図１】第１実施形態におけるプロジェクタの外観を示す斜視図。
【図２】前記第１実施形態における外装筐体の内部に収容される装置本体を模式的に示す図。
【図３】前記第１実施形態における背面部の構造を示す斜視図。
【図４】前記第１実施形態における背面部の構造を示す斜視図。
【図５】前記第１実施形態における第１の接続端子群の利用形態を説明する図。
【図６】前記第２実施形態における第１の接続端子群の利用形態を説明する図。
【符号の説明】
【００４３】
１・・・プロジェクタ、２・・・外装筐体、３・・・投射レンズ（投射光学装置）、５・・・第１の接続端子群、６・・・第２の接続端子群、８・・・結束部材、２３・・・天面部、２４・・・底面部、２５・・・前面部（側面部）、２６・・・右側面部、２７・・・左側面部、２８・・・背面部（側面部）、４１・・・光源装置、２８１・・・第１の凹部、２８１Ａ・・・底部分、４５１・・・液晶パネル（光変調装置）。
【図１】
0004525757.tif 000002
【図２】
0004525757.tif 000003
【図３】
0004525757.tif 000004
【図４】
0004525757.tif 000005
【図５】
0004525757.tif 000006
【図６】
0004525757.tif 000007